(57)【要約】【課題】一時的な停電による不具合の発生の抑制を図る。【解決手段】照明制御装置１は、点灯装置２と制御装置３を備える。点灯装置２は、第１の直流電力を光源５に供給する第１の電源回路２１と、第２の直流電力を制御装置３に供給する第２の電源回路２２と、制御装置３から指示される調光レベルに応じて第１の電源回路２１を制御する第１の制御回路２０を有する。制御装置３は、第１の制御回路２０に対して調光レベルを指示する第２の制御回路３０と、外部電源７の停電を検出する停電検出回路３１とを有する。第２の制御回路３０は、停電検出回路３１から停電検出信号が出力されているときに調光レベルを所定の初期値に変更する。停電検出回路３１は、光源５の光量と、第２の制御回路３０から第１の制御回路２０に対して指示される調光レベルに対応した光源５の光量との差に基づいて外部電源７が停電しているか否かを判定する。【選択図】        図１
2020140777.tif 000002
【特許請求の範囲】
【請求項１】
外部電源から給電されて光源を点灯させる点灯装置と、
前記点灯装置を制御して前記光源の光量を調整する制御装置と、
を備え、
前記点灯装置は、
前記外部電源から供給される交流電力を第１の直流電力に電力変換し、かつ、前記第１の直流電力を前記光源に供給する第１の電源回路と、
前記交流電力を第２の直流電力に電力変換し、かつ、前記第２の直流電力を前記制御装置に供給する第２の電源回路と、
前記制御装置から指示される調光レベルに応じて前記第１の直流電力を調整するように前記第１の電源回路を制御する第１の制御回路と、
を有し、
前記制御装置は、
前記第１の制御回路に対して前記調光レベルを指示する第２の制御回路と、
前記外部電源の停電を検出して停電検出信号を出力する停電検出回路と、
を有し、
前記第２の制御回路は、前記停電検出回路から前記停電検出信号が出力されているときに前記調光レベルを所定の初期値に変更し、
前記停電検出回路は、前記光源の光量と、前記第２の制御回路から前記第１の制御回路に対して指示される前記調光レベルに対応した前記光源の光量との差に基づいて前記外部電源が停電しているか否かを判定する、
照明制御装置。
【請求項２】
前記光源の光量を検出する検出素子を有し、
前記停電検出回路は、前記検出素子が検出する前記光量が所定のしきい値以下であるときに前記外部電源が停電していると判定して前記停電検出信号を出力する、
請求項１記載の照明制御装置。
【請求項３】
前記停電検出回路は、前記調光レベルに対応して前記しきい値を調整する、
請求項２記載の照明制御装置。
【請求項４】
前記第２の制御回路は、前記停電検出回路から前記停電検出信号が出力されなくなったときに前記調光レベルを前記初期値から前記初期値と異なる所定値に変更する、
請求項１〜３のいずれか１項に記載の照明制御装置。
【請求項５】
請求項１〜４のいずれかの照明制御装置と、
前記照明制御装置の前記点灯装置によって点灯させられる光源と、
少なくとも前記光源を支持する器具本体と、
を備える、
照明器具。
【発明の詳細な説明】
【技術分野】
【０００１】
本開示は、照明制御装置及び照明器具に関し、より詳細には、光源を点灯させる点灯装置と前記点灯装置を制御する制御装置を備える照明制御装置、及び当該照明制御装置と前記光源を備える照明器具に関する。
【背景技術】
【０００２】
従来例として、特許文献１記載の照明制御装置を例示する。特許文献１記載の照明制御装置（以下、従来例という。）は、電源ユニットと、第１の制御ユニットと、第２の制御ユニットを有する。電源ユニットは、外部電源（商用の交流電源）から供給される交流電力を直流電力に変換し、当該直流電力を供給して光源ユニットを点灯させる。また、電源ユニットは、第１の制御ユニット及び第２の制御ユニットから指示される調光レベルに応じて直流電力を調整して光源ユニットを調光する。さらに、電源ユニットは、外部電源から供給される交流電力によって動作用電源を作成し、当該動作用電源を第１の制御ユニット及び第２の制御ユニットに供給する。
【０００３】
第２の制御ユニットは、第２制御部、記憶部、停電検知部などを備える。第２制御部は、調光レベルをある程度大きく変更する場合、調光レベルを徐々に（段階的に）変更し、光源ユニットの光出力（光束）をフェードイン及びフェードアウトさせる。さらに、第２制御部は、初期照度補正機能を搭載している。初期照度補正機能とは、光源ユニットの使用開始から寿命末期までの間、光源ユニットの光出力をほぼ一定（例えば、定格の８５％）に保つように、光源ユニットの累積点灯時間に対応して光出力を調整する機能である。すなわち、第２制御部は、マイクロコントローラに内蔵されているタイマで光源ユニットの累積点灯時間を計時して記憶部に記憶し、かつ、データテーブルに保存されている初期照度補正特性を参照して、累積点灯時間に対応した調光レベルを決定する。ここで、初期照度補正特性は、累積点灯時間が増加するにしたがって、調光レベルを８５％以下の初期値から徐々に増加させるような特性である。
【０００４】
停電検知部は、電源ユニットから動作用電源が供給される電路の電圧を検出することで外部電源の停電を検知する。停電検知部は、停電を検知したときに停電検知信号を第２制御部へ出力する。第２制御部は、停電検知信号を受け取ると、マイクロコントローラの内蔵タイマで計時している累積点灯時間を記憶部に書き込む。
【先行技術文献】
【特許文献】
【０００５】
【特許文献１】特開２０１７−２２０１３号公報
【発明の概要】
【発明が解決しようとする課題】
【０００６】
ところで、上記従来例において、外部電源が短時間（例えば、数秒から十数秒）だけ停電した場合、電源ユニット（点灯装置）が有する平滑用のコンデンサに充電されている電荷が放電している間は第２の制御ユニットの停電検知部が停電を検知しない可能性がある。停電検知部が停電を検知しない場合、第２制御部が累積点灯時間を記憶部に書き込む前に動作用電源の供給が停止してしまうために累積点灯時間に誤差が生じる、といった不具合が発生するおそれがある。
【０００７】
本開示の目的は、一時的な停電による不具合の発生の抑制を図ることができる照明制御装置及び照明器具を提供することである。
【課題を解決するための手段】
【０００８】
本開示の一態様に係る照明制御装置は、外部電源から給電されて光源を点灯させる点灯装置と、前記点灯装置を制御して前記光源の光量を調整する制御装置とを備える。前記点灯装置は、前記外部電源から供給される交流電力を第１の直流電力に電力変換し、かつ、前記第１の直流電力を前記光源に供給する第１の電源回路を有する。前記点灯装置は、前記交流電力を第２の直流電力に電力変換し、かつ、前記第２の直流電力を前記制御装置に供給する第２の電源回路を有する。前記点灯装置は、前記制御装置から指示される調光レベルに応じて前記第１の直流電力を調整するように前記第１の電源回路を制御する第１の制御回路を有する。前記制御装置は、前記第１の制御回路に対して前記調光レベルを指示する第２の制御回路と、前記外部電源の停電を検出して停電検出信号を出力する停電検出回路とを有する。前記第２の制御回路は、前記停電検出回路から前記停電検出信号が出力されているときに前記調光レベルを所定の初期値に変更する。前記停電検出回路は、前記光源の光量と、前記第２の制御回路から前記第１の制御回路に対して指示される前記調光レベルに対応した前記光源の光量との差に基づいて前記外部電源が停電しているか否かを判定する。
【０００９】
本開示の一態様に係る照明器具は、前記照明制御装置と、前記照明制御装置の前記点灯装置によって点灯させられる光源と、少なくとも前記光源を支持する器具本体とを備える。
【発明の効果】
【００１０】
本開示の照明制御装置及び照明器具は、一時的な停電による不具合の発生の抑制を図ることができるという効果がある。
【図面の簡単な説明】
【００１１】
【図１】図１は、本開示の実施形態に係る照明制御装置のブロック図である。
【図２】図２は、同上の照明制御装置における制御電源回路の回路図である。
【図３】図３は、同上の照明制御装置におけるＰＷＭ信号のデューティ比と出力レベルの関係を説明する説明図である。
【図４】図４は、本開示の実施形態に係る照明器具の斜視図である。
【発明を実施するための形態】
【００１２】
本開示の実施形態に係る照明制御装置及び照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１３】
実施形態に係る照明制御装置１（以下、照明制御装置１と略す。）は、図１に示すように、外部電源７から給電されて光源５を点灯させる点灯装置２と、点灯装置２を制御して光源５の光量を調整する制御装置３とを備える。
【００１４】
外部電源７は、例えば、商用の系統電源であり、実効値が１００Ｖ〜２４０Ｖの交流電圧Ｖ１を供給する。
【００１５】
光源５は、例えば、一つ以上のＬＥＤ（Light Emitting Diode）を有する。また、光源５は、光色（例えば、色温度）が異なる複数種類のＬＥＤを有していても構わない。ただし、光源５は、ＬＥＤ以外の固体光源、例えば、有機エレクトロルミネッセンス素子又はレーザダイオードであっても構わない。あるいは、光源５は、白熱ランプ又はＨＩＤ（High Intensity Discharge）ランプなどの放電ランプであっても構わない。
【００１６】
点灯装置２は、第１の制御回路２０、第１の電源回路２１及び第２の電源回路２２を有する。
【００１７】
第１の電源回路２１は、例えば、力率改善回路と、降圧チョッパ回路と、電源制御回路とを有することが好ましい。力率改善回路は、外部電源７から供給される交流電圧Ｖ１を、交流電圧Ｖ１のピーク値よりも高い電圧値を有する直流電圧に変換する。降圧チョッパ回路は、力率改善回路から出力される直流電圧を、光源５の定格電圧以下に降圧する。降圧チョッパ回路で降圧された直流電圧Ｖ２は、光源５に出力される。光源５は、第１の電源回路２１から直流電圧Ｖ２が印加されて電流が流れる。つまり、光源５は、第１の電源回路２１から直流電力（第１の直流電力）が供給されることで点灯する。なお、電源制御回路は、力率改善回路を構成する半導体スイッチング素子をスイッチング制御して力率改善回路の出力電圧を定電圧化している。また、電源制御回路は、降圧チョッパ回路を構成する半導体スイッチング素子をスイッチング制御して光源５に流す電流を目標値に一致させている。ただし、上述した第１の電源回路２１の構成は一例であって、光源５に直流電力（第１の直流電力）を供給し、かつ、第１の直流電力を調整可能な構成であればよい。
【００１８】
第２の電源回路２２は、降圧チョッパ回路の出力電圧（直流電圧Ｖ２）を降圧して動作用電圧Ｖ３（例えば、１５Ｖの直流電圧）を生成する。第２の電源回路２２は、例えば、シリーズレギュレータ又はスイッチングレギュレータで構成されることが好ましい。動作用電圧Ｖ３は、制御装置３に供給される。
【００１９】
第１の制御回路２０は、マイクロコンピュータを有することが好ましい。第１の制御回路２０は、第１の電源回路２１から光源５に供給される第１の直流電力を調整するように第１の電源回路２１を制御する。第１の制御回路２０は、後述するように制御装置３が調光信号Ｓ１で指示する調光レベルに対応した目標値に一致させるように、第１の電源回路２１の降圧チョッパ回路を制御して光源５に流す電流を調整する。なお、第１の制御回路２０の動作用の直流電圧は、外部電源７の交流電圧Ｖ１を、シリーズレギュレータ又はスイッチングレギュレータなどの電源回路で交直変換することによって作成される。
【００２０】
制御装置３は、第１の制御回路２０に対して調光レベルを指示する第２の制御回路３０と、外部電源７の停電を検出して停電検出信号Ｓ２を出力する停電検出回路３１と、制御電源回路３２とを有する。
【００２１】
制御電源回路３２は、第２の電源回路２２が供給する動作用電圧Ｖ３から二種類の制御電圧（第１制御電圧Ｖcc、第２制御電圧Ｖdd）を生成する。例えば、制御電源回路３２は、図２に示すように、コンデンサＣ１〜Ｃ５、ダイオードＤ１、ツェナーダイオードＺＤ及び定電圧回路（三端子レギュレータ）３２０などで構成される。
【００２２】
コンデンサＣ１とツェナーダイオードＺＤが電気的に並列接続され、ツェナーダイオードＺＤのカソードがダイオードＤ１のアノードと電気的に接続されている。ダイオードＤ１のカソードがコンデンサＣ２の高電位側の端子、コンデンサＣ３の第１端及び定電圧回路３２０の入力端子と電気的に接続されている。ツェナーダイオードＺＤのアノード、コンデンサＣ２の低電位側の端子、コンデンサＣ３の第２端子、定電圧回路３２０のグランド、コンデンサＣ４の第１端及びコンデンサＣ５の低電位側の端子が電気的に接続されている。定電圧回路３２０の出力端子がコンデンサＣ４の第２端及びコンデンサＣ４の第２端及びコンデンサＣ５の高電位側の出力端子と電気的に接続されている。
【００２３】
第１制御電圧Ｖccは、コンデンサＣ１の両端に入力される直流電圧（第２の電源回路２２が出力する動作用電圧Ｖ３）を電解コンデンサからなるコンデンサＣ２で平滑して生成される。第１制御電圧Ｖccは、例えば、１２〜１８Ｖの直流電圧であることが好ましい。なお、ツェナーダイオードＺＤは、動作用電圧Ｖ３が上昇したときに第１制御電圧Ｖccが過電圧となることを防いでいる。
【００２４】
第２制御電圧Ｖddは、第１制御電圧Ｖccを定電圧回路３２０で降圧し、かつ、安定化して生成される。第２制御電圧Ｖddは、例えば、３．３Ｖ〜５Ｖ程度の直流電圧である。なお、第１制御電圧Ｖccは、第２の制御回路３０に供給されて調光信号Ｓ１の信号電圧に利用される。第２制御電圧Ｖddは、第２の制御回路３０と停電検出回路３１に供給される。第２の制御回路３０と停電検出回路３１は、第２制御電圧Ｖddによって動作する。
【００２５】
検出素子４は、受光する光を電気信号に変換する光電変換素子（例えば、フォトダイオード）である。検出素子４は、受光する光量に比例した光電流Ｉｐを発生する。なお、検出素子４は、赤外線カットフィルタなどを有して可視光のみを受光することが好ましい。検出素子４は、光源５から放射される光を受光可能であり、かつ、光源５から放射される光以外の光（例えば、太陽光など）が遮光可能に構成されることが好ましい。例えば、検出素子４は、光ファイバなどの導光体を通して光源５の光のみを受光するように構成されることが好ましい。
【００２６】
停電検出回路３１は、例えば、電流電圧変換アンプ、アナログ・ディジタルコンバータ、ＣＰＵ（Central Process Unit）、タイマ、メモリなどを一つの集積回路としたマイクロコンピュータを有する。このようなマイクロコンピュータとしては、ルネサスエレクトロニクス社製のＲＬ７８シリーズの８／１６ビットマイクロコンピュータなどが好適である。
【００２７】
電流電圧変換アンプは、検出素子４で発生する光電流Ｉｐを直流の検出電圧に変換する。アナログ・ディジタルコンバータは、電流電圧変換アンプから出力されるアナログの検出電圧をディジタルの検出信号（光量データ）に変換してＣＰＵの入力ポートに入力する。ＣＰＵは、検出信号（光量データ）をしきい値と比較し、後述する所定の条件の下で検出信号がしきい値を下回っている場合に外部電源７が停電していると判定し、停電検出信号Ｓ２を第２の制御回路３０に出力する。ただし、ＣＰＵは、単位時間（例えば、数秒間）当たりの検出信号の平均値をしきい値と比較することが好ましい。
【００２８】
第２の制御回路３０は、例えば、マイクロコンピュータを有する。ただし、第２の制御回路３０は、一つのマイクロコンピュータを停電検出回路３１と共有することが好ましい。つまり、第２の制御回路３０と停電検出回路３１は、ハードウェア（マイクロコンピュータ）とソフトウェア（マイクロコンピュータのＣＰＵで実行される一つ以上のプログラム）によって実現されることが好ましい。ただし、以下では、説明を簡単にするため、第２の制御回路３０及び停電検出回路３１を独立した回路とみなす。
【００２９】
第２の制御回路３０は、少なくとも初期照度補正機能及び調光制御機能を搭載している。初期照度補正機能は、従来例で説明したように、光源５の使用開始から寿命末期までの間、光源５の光量をほぼ一定（例えば、定格の８５％）に保つように、光源５の累積点灯時間に対応して光量を調整する機能である。また、調光制御機能は、例えば、照明制御装置１とは別体のリモートコントローラから調光信号（例えば、パルス幅変調信号（ＰＷＭ信号））を受信し、受信した調光信号を直流電圧の調光信号に変換して第１の制御回路２０に出力する機能を含む。あるいは、調光制御機能は、外部電源７の給電開始からの経過時間をタイマでカウントし、経過時間に合わせて段階的に調光レベルを変化させる機能を含んでもよい。さらに、調光制御機能は、外部電源７の投入時に調光レベルを低い値（例えば、後述する下限値）から徐々に上昇させる機能（フェードイン機能）を含むことが好ましい。
【００３０】
ここで、調光レベル、すなわち、点灯装置２が光源５に供給する第１の直流電力（直流電流）の出力レベルと、ＰＷＭ信号のデューティ比との関係を図３に示す。図３に示すように、デューティ比が０〜５％のときに調光レベル（出力レベル）を１００％とし、かつ、デューティ比が９８％以上（ただし、１００％を除く。）のときに調光レベル（出力レベル）を５％（下限値）とする。そして、デューティ比が５〜９８％のとき、調光レベル（出力レベル）は、デューティ比の増加に対して一定の割合で減少する。したがって、第２の制御回路３０から第１の電源回路２１へ伝送される直流電圧信号（調光信号Ｓ１）の信号レベル（電圧値）は、調光レベル（出力レベル）の下限値（５％）で最大となり、かつ、調光レベル（出力レベル）の定格値で最小となる。ただし、図３に示した関係は一例であって、調光レベル（出力レベル）とデューティ比との関係は、図３に示した関係に限定されない。
【００３１】
次に、実施形態に係る照明器具６（以下、照明器具６と略す。）を説明する。照明器具６は、図４に示すように、道路照明器具（道路灯）である。ただし、実施形態に係る照明器具は、道路照明器具以外の照明器具、例えば、防犯灯又は街路灯などであってもよいし、体育館又は工場の天井に設置される高天井用の照明器具であっても構わない。
【００３２】
照明器具６は、図４に示すように、複数（図示例では三つ）の光源ユニット６１と、器具本体６０と、アダプタ６２とを備える。アダプタ６２は、照明用ポール８に器具本体６０を機械的に接続するための部品である。
【００３３】
器具本体６０は、ボディ６００と上蓋６０１で構成される。ボディ６００は、アルミダイカストによって上面が開口したへん平な矩形箱状に形成される。また、上蓋６０１は、アルミダイカストによって下面が開口したへん平な矩形箱状に形成される。上蓋６０１は、ボディ６００の開口を開放する開位置と、ボディ６００の開口を閉塞する閉位置との間で回転可能にボディ６００に取り付けられる。なお、上蓋６０１は、自由端側の左右両端がボディ６００にねじ止めされることにより、閉位置に固定される。
【００３４】
器具本体６０内には、照明制御装置１が収容される。器具本体６０は、アダプタ６２を介して、照明用ポール８の先端部分に取り付けられる（図４参照）。
【００３５】
三つの光源ユニット６１はそれぞれ、複数のＬＥＤを基板に実装して構成されたＬＥＤモジュールと、ＬＥＤモジュールを支持するユニット本体６１０と、ユニット本体６１０に取り付けられてＬＥＤモジュールを保護するカバー６１１とを備える。ユニット本体６１０は、アルミダイカストにより、４つの辺を有する板状に形成されることが好ましい。カバー６１１は、透光板６１２、枠体６１３などを有する。透光板６１２は、透光性を有する材料（アクリル樹脂等の合成樹脂材料や石英ガラスなど）で矩形平板状に形成される。枠体６１３は、アルミダイカストによって矩形の枠状に形成されている。そして、カバー６１１は、ユニット本体６１０の下面にかぶせられ、枠体６１３がユニット本体６１０にねじ止めされることでユニット本体６１０に取り付けられる。なお、ユニット本体６１０には検出素子４が取り付けられてもよい。ユニット本体６１０に取り付けられた検出素子４は、ＬＥＤモジュールから放射される光を受光可能であり、かつ、外光を受光しにくい位置に配置されることが好ましい。
【００３６】
三つの光源ユニット６１は、短手方向に沿って連結されることが好ましい。そして、連結された三つの光源ユニット６１は、後端の光源ユニット６１が器具本体６０の前端に固定される（図４参照）。なお、光源ユニット６１同士の固定及び光源ユニット６１と器具本体６０の固定は、例えば、ねじ止めによって行われることが好ましい。
【００３７】
次に、外部電源７が停電した場合の照明制御装置１の動作を詳しく説明する。点灯装置２が光源５を１００％の調光レベルで点灯（定格点灯）させている状況において、外部電源７が停電したと仮定する。外部電源７が停電すると、第１の電源回路２１が動作を停止する。しかしながら、第１の電源回路２１の出力電圧（直流電圧Ｖ２）は、降圧チョッパ回路の出力コンデンサ（電解コンデンサ）に充電されている電荷が放電されることによって徐々に低下する。光源５は、直流電圧Ｖ２が光源５の点灯開始電圧を下回った時点で消灯する。しかしながら、第２の電源回路２２は、光源５が消灯した後も直流電圧Ｖ２が第２の電源回路２２の動作可能な電圧を下回るまでは動作を継続して動作用電圧Ｖ３を制御装置３に供給する。なお、第１の制御回路２０が有するマイクロコンピュータは、交流電圧Ｖ１を検出することで外部電源７が停電したと判断すると、電力消費を抑えるためにスタンバイモードに移行する。
【００３８】
制御装置３は、点灯装置２から動作用電圧Ｖ３が供給されている期間（以下、停電過渡期間という。）においては動作可能である。第２の制御回路３０は、点灯装置２の第１の制御回路２０に指示した調光レベルを記憶している。停電検出回路３１（のＣＰＵ）は、第２の制御回路３０が記憶している調光レベルが下限値（５％）でないという条件の下で検出信号がしきい値を下回っている場合に外部電源７が停電していると判定し、停電検出信号Ｓ２を第２の制御回路３０に出力する。つまり、外部電源７が停電して光源５が消灯していれば、検出素子４で検出する光量がほぼゼロとなるために検出信号がしきい値を下回り（しきい値以下となり）、停電検出回路３１から第２の制御回路３０に停電検出信号Ｓ２が出力される。
【００３９】
第２の制御回路３０は、停電検出信号を受け取ると停電動作を開始する。第２の制御回路３０は、停電動作を開始すると、動作用電圧Ｖ３が低下して第２の制御回路３０が停止する前に、タイマでカウントしている累積点灯時間をメモリに記憶する。また、第２の制御回路３０は、第１の制御回路２０に対して、調光レベルを所定の初期値（例えば、１０％）とする調光信号Ｓ１を出力し、第１の制御回路２０に指示した調光レベルとして初期値を記憶する。
【００４０】
停電過渡期間内に外部電源７が復電しなかった場合、第２の電源回路２２から動作用電圧Ｖ３が供給されなくなり、制御装置３が停止する。そして、停電過渡期間を過ぎて外部電源７が復電すれば、通常の外部電源７の投入時と同様に点灯装置２及び制御装置３が順番に起動する。この場合、制御装置３の第２の制御回路３０は、外部電源７の停電を検出したときに光源５の累積点灯時間をメモリに記憶しているので、累積点灯時間に誤差が生じにくい。また、第２の制御回路３０を構成するマイクロコンピュータがパワーオン・リセット回路を備えている場合、第２の電源回路２２から供給される動作用電圧Ｖ３が低下したときにパワーオン・リセット回路によってＣＰＵがリセットされる。ゆえに、復電後に起動した第２の制御回路３０のＣＰＵは、通常の起動シーケンスに従って動作するため、例えば、調光レベルを徐々に（段階的に）上昇させて光源５の光量をフェードインさせることができる。
【００４１】
一方、停電過渡期間内に外部電源７が復電し、外部電源７の停電から復電までの期間に制御装置３が停止しなかった場合、第１の電源回路２１が動作を再開しても光源５がいきなり１００％の調光レベルで点灯することはない。つまり、第１の制御回路２０は、外部電源７の復電後にマイクロコンピュータが起動したとき、第１の電源回路２１の直流電圧Ｖ２が安定するまでは調光信号Ｓ１で指示される調光レベルを無視して光源５を消灯させる。そして、直流電圧Ｖ２が安定した後、第１の制御回路２０は、調光信号Ｓ１で指示される調光レベルに対応した電流を光源５に流すように第１の電源回路２１を制御する。このとき、第２の制御回路３０が第１の制御回路２０に指示する調光レベルが初期値であるので、第１の制御回路２０は、初期値の調光レベルで光源５を調光するように第１の電源回路２１を制御する。その結果、外部電源７の復電直後に光源５がいきなり全点灯することが回避される。
【００４２】
外部電源７が復電して光源５が点灯すれば、検出素子４の受光光量が増えて検出信号がしきい値を上回り、停電検出回路３１から第２の制御回路３０に停電検出信号Ｓ２が出力されなくなる。第２の制御回路３０は、停電検出回路３１から停電検出信号が入力されなくなると、調光信号Ｓ１で指示する調光レベルを初期値から徐々に上昇させることで光源５の光量をフェードインさせる。つまり、第２の制御回路３０は、停電検出回路３１から停電検出信号が出力されなくなったときに調光レベルを初期値から初期値と異なる所定値に変更する。その結果、照明制御装置１は、外部電源７の復電後における光源５の光量を適切に調整することができる。
【００４３】
上述のように停電検出回路３１は、光源５の光量（検出素子４で検出する光量）と、第２の制御回路３０から第１の制御回路２０に対して指示される調光レベルに対応した光源５の光量との差に基づいて外部電源７の停電を判断している。さらに、第２の制御回路３０は、停電検出回路３１から停電検出信号が出力されているときに調光レベルを所定の初期値に変更する。そのため、照明制御装置１は、第２の制御回路３０が停止する前に外部電源７が復電した場合において、光源５の累積点灯時間に誤差が生じるといった不具合、及び復電後にいきなり光源５が全点灯するといった不具合の発生の抑制を図ることができる。
【００４４】
ところで、停電検出回路３１が停電か否かを判定するためのしきい値は、第２の制御回路３０から第１の制御回路２０に指示される調光レベルに対応して調整されることが好ましい。例えば、１００％の調光レベルに対するしきい値を５０％の調光レベルに相当する値とし、３０％の調光レベルに対するしきい値を１０％の調光レベルに相当する値とすることが好ましい。このように停電検出回路３１が調光レベルに対応してしきい値を調整すれば、停電検出の精度の向上を図ることができる。
【００４５】
また、第２の制御回路３０は、ワンツースイッチ機能を搭載しても構わない。ワンツースイッチ機能とは、外部電源７の交流電圧Ｖ１が短時間（例えば、数秒間）に複数回（例えば、２〜３回）続けて断続されたときに調光レベルを変更する機能である。第２の制御回路３０は、停電検出回路３１の停電検出信号に基づき、交流電圧Ｖ１が短時間に複数回続けて断続されたと判断したときに調光レベルを変更して第１の制御回路２０に調光信号Ｓ１を出力すればよい。このように照明制御装置１は、外部電源７の停電を停電検出回路３１で検出することにより、ワンツースイッチ機能を実現することができる。
【００４６】
上述のように第１の態様に係る照明制御装置（１）は、外部電源（７）から給電されて光源（５）を点灯させる点灯装置（２）と、点灯装置（２）を制御して光源（５）の光量を調整する制御装置（３）とを備える。点灯装置（２）は、外部電源（７）から供給される交流電力を第１の直流電力に電力変換し、かつ、第１の直流電力を光源（５）に供給する第１の電源回路（２１）を有する。点灯装置（２）は、交流電力を第２の直流電力に電力変換し、かつ、第２の直流電力を制御装置（３）に供給する第２の電源回路（２２）を有する。点灯装置（２）は、制御装置（３）から指示される調光レベルに応じて第１の直流電力を調整するように第１の電源回路（２１）を制御する第１の制御回路（２０）を有する。制御装置（３）は、第１の制御回路（２０）に対して調光レベルを指示する第２の制御回路（３０）と、外部電源（７）の停電を検出して停電検出信号を出力する停電検出回路（３１）とを有する。第２の制御回路（３０）は、停電検出回路（３１）から停電検出信号が出力されているときに調光レベルを所定の初期値に変更する。停電検出回路（３１）は、光源（５）の光量と、第２の制御回路（３０）から第１の制御回路（２０）に対して指示される調光レベルに対応した光源（５）の光量との差に基づいて外部電源（７）が停電しているか否かを判定する。
【００４７】
第１の態様に係る照明制御装置（１）は、光源（５）の累積点灯時間に誤差が生じること、及び復電後にいきなり光源（５）が全点灯することなどの、一時的な停電による不具合の発生の抑制を図ることができる。
【００４８】
第２の態様に係る照明制御装置（１）は、第１の態様との組合せにより実現され得る。第２の態様に係る照明制御装置（１）は、光源（５）の光量を検出する検出素子（４）を有することが好ましい。停電検出回路（３１）は、検出素子（４）が検出する光量が所定のしきい値以下であるときに外部電源（７）が停電していると判定して停電検出信号を出力することが好ましい。
【００４９】
第２の態様に係る照明制御装置（１）は、検出素子（４）が検出する光量をしきい値と比較するという簡単な処理で外部電源（７）の停電の有無を判定することができる。
【００５０】
第３の態様に係る照明制御装置（１）は、第２の態様との組合せにより実現され得る。第３の態様に係る照明制御装置（１）において、停電検出回路（３１）は、調光レベルに対応してしきい値を調整することが好ましい。
【００５１】
第３の態様に係る照明制御装置（１）は、調光レベルに対応してしきい値を調整することにより、停電検出の精度の向上を図ることができる。
【００５２】
第４の態様に係る照明制御装置（１）は、第１〜第３の態様のいずれかとの組合せにより実現され得る。第４の態様に係る照明制御装置（１）において、第２の制御回路（３０）は、停電検出回路（３１）から停電検出信号が出力されなくなったときに調光レベルを初期値から初期値と異なる所定値に変更することが好ましい。
【００５３】
第４の態様に係る照明制御装置（１）は、外部電源（７）の復電後における光源（５）の光量を適切に調整することができる。
【００５４】
第５の態様に係る照明器具（６）は、第１〜４のいずれかの態様に係る照明制御装置（１）と、照明制御装置（１）の点灯装置（２）によって点灯させられる光源（５）と、少なくとも光源（５）を支持する器具本体（６０）とを備える。
【００５５】
第５の態様に係る照明器具（６）は、一時的な停電による不具合の発生の抑制を図ることができる。
【符号の説明】
【００５６】
１  照明制御装置
２  点灯装置
３  制御装置
４  検出素子
５  光源
７  外部電源
２０  第１の制御回路
２１  第１の電源回路
２２  第２の電源回路
３０  第２の制御回路
３１  停電検出回路
６０  器具本体
【図１】
2020140777.tif 000003
【図２】
2020140777.tif 000004
【図３】
2020140777.tif 000005
【図４】
2020140777.tif 000006